(57)【要約】【課題】古新聞や古雑誌を結束して紐で縛る場合に、これら被結束物を持ち上げたり反転する必要がなく、非力な女性でも容易に、堅固に、しかも楽しく縛ることができる結束用器具を考える。【解決手段】矩形の板材の長辺と短辺の中間付近に各１個、計４個の突出部を設け、各突出部には結束用紐を仮留めするための切り込みを入れる。またこの板材では、新聞等の被結束物を乗せる部分を色分けするなどして確認しやすくするとともに、形状の変更や顔の表情を加えるなどして動物などの形に似せた、かわいいマスコット的な新聞・雑誌等の結束補助板を提供する。【選択図】図１
2010089834.tif 000002
【特許請求の範囲】
【請求項１】
矩形の板材の長辺と短辺の中間付近に切り込みを有する突出部を各１個、計４個設けたことを特徴とする新聞・雑誌等の結束補助板。
【請求項２】
矩形の対角線２本のうち最低限１本の対角線上にある相対する角部の相互位置ならびに形状の変更はせず、他の部分の形状を変更あるいは目、鼻、口その他の造作を加えることにより、動物や魚、人の顔などを模したことを特徴とする請求項１記載の新聞・雑誌等の結束補助板。
【発明の詳細な説明】
【技術分野】
【０００１】  本発明は、新聞紙、雑誌等（以下、被結束物という）を紐で結束する作業時に使用する板に関するものである。
【背景技術】
【０００２】  新聞・雑誌等はどこの家庭においても日々溜まっていくものであり、ある程度溜まった段階で自治体が資源ごみ、あるいは廃棄用ゴミとして収集している。収集にあたっては新聞等をバラになったまま収集することはなく、ある程度の量をまとめて結束したり紙袋等に入れて出すのが一般的である。
【発明の開示】
【発明が解決しようとする課題】
【０００３】  これら新聞等を紐で結束する際に、次のような問題点があげられる。すなわち「紐掛けするとき、特に紙製の紐は床面に置いても巻き癖がついていて丸まってしまい、何かで押さえておく必要がある」、「紐掛け時に被結束物の上下両面の中央付近で十字に紐を組む必要があるが、重い被結束物を持ち上げたり上下を反転させるのが面倒でたいへんである」「新聞等を箱型のストッカーに入れて溜めている場合、結束後あるいは結束しようと取り出すとき摩擦が大きくて取り出しにくい」「非力な女性では縛るときに紐がゆるみがちで、被結束物を運ぶときに崩してしまうことがある」などである。【０００４】  これらの問題点を解決しようと従来から数多くの考案がなされており、これら問題点が多くのの家庭で日常的に発生していることがうかがえる。その中から本願出願の発明に近似した対策アイデアをいくつか拾ってみると、新聞紙等の束を上下から板で挟み、それらすべてを廃品として搬出するというアイデア（特許文献１参照）、板状の本体上に円柱を輪切りにしたような被結束物の置き台を数個取り付け、その間を縫って結束用紐を通すアイデア（特許文献２参照）や、１枚の板の周縁部に紐を仮留めする係止部を設け、その上に被結束物を乗せて縛るようにしたアイデア（特許文献３参照）などがある。
【特許文献１】特開２００２−１７９０１７号公報
【特許文献２】特開２００３−６３４１２号公報
【特許文献３】特開２００６−２９０４４１号公報
【０００５】  特許文献１は、被結束物の上下にセットした板ごと廃品として出す案であるが、毎回２枚の板ごと出すというのはあまりにも不経済で無駄である。特許文献２および特許文献３はどちらも被結束物を持ち上げたり裏返す手間が不要かつ保管にスペースを取らない点はよいが、デザイン的にもう少し遊び心を加えれば見たり使ったりするときに楽しいものになり、よりよいものになると思われる。
【課題を解決するための手段】
【０００６】  上記の課題を解決するために請求項１に記載の発明は、矩形の板材の長辺と短辺の中間付近に切り込みを有する突出部を各１個、計４個設けたことを特徴とする新聞・雑誌等の結束補助板である。【０００７】  新聞等を結束する場合、従来の方法は、まず紐を床に置きその上に被結束物を乗せるのであるが、特に紙紐の場合は置いただけでは丸まってしまい定位置に固定するのが困難であった。この不具合を解消するため、矩形の板材に付属した４個の突出物に切り込みを設け、そこに紐を挟んで仮留めすることができるようにした。【０００８】  本願発明の矩形補助板は、新聞の四つ折りの大きさを基準として説明を進めていくが、新聞二つ折りの大きさのものに対しても使用は可能で、使用方法も同じである。いずれの場合においても、矩形の各辺中央部に設けた突出部を被結束物の中間付近に位置させることが上手に結束するコツである。【０００９】  ４個の突出部には突出部先端から矩形の中心方向に向かって切り込みを入れるが、この切り込みは結束紐を仮留めしておくためのもので、入り口は紐が難なく出入りできる幅を有し、奥に行くほど狭くなって紐を保持できる幅とする。切り込みの長さは１〜２ｃｍあれば十分である。【００１０】  板材の素材は木、プラスチック、金属等いずれでもよく、厚みにも制限はないが、取り扱いの容易さ、保管の容易さを考えれば薄くて軽い素材が便利である。【００１１】  請求項２に記載の発明は、矩形の対角線２本のうち最低限１本の対角線上にある相対する角部の相互位置ならびに形状の変更はせず、他の部分の形状を変更あるいは目、鼻、口その他の造作を加えることにより、動物や魚、人の顔などを模したことを特徴とする請求項１記載の新聞・雑誌等の結束補助板である。【００１２】  矩形の四隅にある角部は、新聞等の角部をそこに合わせて乗せるために必要な部分であるが、相対する２個の角部さえあれば被結束物の位置を特定することができるため、４個のうち２個の角部をなくしたり変形させても問題ない。この部分に手を加えることにより、補助板本体の形状を動物や魚、人の姿に似せることが可能となる。【００１３】  補助板本体の形状を動物などの姿に似せる場合、矩形部分と突出部との境目に線を引いたり色分けすることにより手足などとして目立つので、被結束物を乗せる場所が明確になり、補助板使用者にとってより使いやすいものとなる。
【発明の効果】
【００１４】  本願発明品は以上のような構成からなり、以下に示す効果が期待できる。【００１５】  新聞等の結束時に結束紐が丸まったり変形することなく、所定の位置にぴんと張った状態で紐を位置させることができるので、結束する人は紐を苦労して自分で押さえたり他人に押さえてもらう必要がなくなり、一人で十分に紐掛け作業を行なうことが可能となる。【００１６】  新聞等を箱型容器に入れた状態で結束する場合は容器への出し入れが摩擦により力が必要となるが、本願発明の補助板はただ乗せるだけでよいので無駄な力が要らない。【００１７】  補助板の形状をある程度自由に変更することができるため、自由に動物その他を表現することができ、見て楽しい、使って楽しいマスコット的な新聞等の結束補助板となる。【００１８】  薄板１枚で十分な機能を発揮するため、取り扱いが容易で保管スペースもとらない。
【発明を実施するための最良の形態】
【００１９】  以下、本願発明を実施するための最良の形態について、図を参照しながら説明する。【００２０】  図１〜図３は本願発明の請求項１に関するもので、図１は補助板本体１に結束用の紐４を装着した平面図である。結束用の紐４は新聞等の被結束物５を補助板本体１上に乗せる前に被結束物５から適正な長さを割り出し、両端を結んだものを補助板本体１の四隅に仮留めしておく。紐の長さを割り出すには、被結束物の「縦＋高さ＋横＋高さ」を結束用の紐４で実測し、これを２倍した長さがほぼ適正な長さとなるので、この紐４の両端をできるだけ無駄な部分を残さず結びループ状として使用する。【００２１】  図２は被結束物５を補助板本体１上に乗せた状態を示す。この場合、被結束物５を補助板本体１上に乗せる前に、被結束物５に紐を当てて上記方法で適正な長さに切り取り、端を結んでおいたものを使用する。なお、紐を最初から切り取ってループ状にしないで、被結束物５を乗せて縛った後に切り取ることも可能である。【００２２】  図３は被結束物５を補助板本体１上に乗せた後に紐４で結束する場面を表わす。まず紐４を突出部２の切り込み３から外し、２本のループ状になっている紐４で被結束物５の角部を包み込むように上に持っていき、別に用意した短い縛り紐６を２個のループに通し絞り上げて縛る。この場合、結束後は紐４をピンと張った状態にすることが崩れない縛り方のコツであり、２個のループが合わさらない状態くらいに張っていても問題ない。紐４がゆるすぎる場合は、紐４の結び目のところでもう１個の結び目を作って短くするとか、被結束物５を少し継ぎ足すなどの方法で紐４を張った状態にすることが望ましい。【００２３】  図４〜図５は請求項２に関するもので、図４は補助板本体１の相対する２個の角部および４個の突出部２をそのまま残し、他の部分の形状を変更するとともに、目玉をつけることにより動物の形に似せたものである。【００２４】  図５はやはり補助板本体１上の２個の角部をそのまま残し、他の部分の形状を変更するとともに、口や目、背びれなどを付けて魚の形に似せたものである。
【図面の簡単な説明】
【００２５】
【図１】  補助板本体に結束用紐を装着した平面図である。
【図２】  図１の補助板本体に被結束物を乗せた状態を示す斜視図である。
【図３】  図２の状態から、ループ状の紐を突出物の切り込みから外して上に引き上げ、別の短い縛り紐を通して絞って縛る場合の斜視図である。
【図４】  補助板本体の形状の一部を変更し、動物の姿を表現した実施例である。
【図５】  補助板本体の形状の一部を変更し、魚の姿を表現した他の実施例である。
【符号の説明】
【００２６】  １・・・補助板本体
２・・・突出部
３・・・切り込み
４・・・紐
５・・・被結束物
６・・・縛り紐
【図１】
2010089834.tif 000003
【図２】
2010089834.tif 000004
【図３】
2010089834.tif 000005
【図４】
2010089834.tif 000006
【図５】
2010089834.tif 000007